【事件の表示】
　特願２００２−１１７４４３「外気遮断投入装置付小規模焼却炉」拒絶査定不服審判事件〔平成１５年１１月　６日出願公開、特開２００３−３１４８１０〕について、次のとおり審決する。
【結　論】
　本件審判の請求は、成り立たない。
【理　由】
１．手続の経緯
（１）本願は、平成１４年４月１９日の出願であって、平成１５年１１月６日付け（発送日：同月１１日）で拒絶査定がなされ、これに対し、同年１２月８日に審判請求がなされるとともに、同月２４日に手続補正がなされたものである。
（２）更に、平成１７年３月１日付けで上記平成１５年１２月２４日付けの手続補正についての補正の却下の決定がなされ、平成１７年３月２３日付けで当審から拒絶理由が通知され、これに対して、平成１７年５月１９日に意見書が提出されると共に手続補正がなされたものである。
　
２．本願発明
　本願の特許請求の範囲の請求項１に係る発明は、平成１７年５月１９日付け手続補正により補正された請求項１に記載されたとおりの次のものと認められる（以下、「本願発明」という。）。
　
「【請求項１】底部にロストルを備え、前壁に廃棄物投入口を有して一次燃焼室を形成する炉体と、この炉体部に連通し前記一次燃焼室から流れてくる燃焼ガスを高温化するバーナーを有する排気筒と、この排気筒に連通して上端に排気口を有するとともに、筒内に加圧空気を供給する二次空気供給管を同心配置して二次燃焼室を形成する燃焼筒とを備えてなる小規模焼却炉と、前記小規模焼却炉の廃棄物投入口に該廃棄物投入口を開閉可能に設けられ、前記廃棄物投入口を閉塞した状態で廃棄物を炉体内の一次燃焼室に投入することができる外気遮断投入装置とからなる外気遮断投入装置付小規模焼却炉であって、前記外気遮断投入装置は、廃棄物を一時的に収容する廃棄物収容室を有し、かつ前記小規模焼却炉の廃棄物投入口を開閉可能にヒンジを介して取付けられている廃棄物収容箱と前記炉体の一次燃焼室との間に支持軸を介して開閉可能に設けられた開口部密閉扉と、前記廃棄物収容室内に一時的に収容された廃棄物を前記炉体の一次燃焼室に投入する廃棄物投入機構とからなり、該廃棄物投入機構は、廃棄物収容室に収容された廃棄物を炉体の一次燃焼室側へ移動させる廃棄物移動板と、この廃棄物移動板の前進移動に連動させて前記開口部密閉扉を開き、前記廃棄物移動板が廃棄物を炉体の一次燃焼室内に投入した後の後退移動に連動させて、前記開口部密閉扉を閉じる移動操作レバーとからなり、該廃棄物移動板は、その上端部が前記開口部密閉扉を回動自在に軸支した支持軸に固定された水平板部と、この水平板部の後端から所定の角度で形成された下向傾斜部とからなり、該下向傾斜部の後端にヒンジを介して回動自在に連結されて下端部が前記廃棄物収容箱の底板兼後板に沿って摺動可能に当接される押出板部とを有し、該廃棄物収容室は、側板を開口してなる廃棄物投入口が設けられ、該廃棄物投入口には内部を密閉可能な投入口密閉扉がヒンジを介して開閉自在に設けられている、ことを特徴とする外気遮断投入装置付小規模焼却炉。」
　
３．引用例
（１）登録実用新案第３０８３０７１号公報（以下、「引用例１」という。）には、図面とともに次の記載がある。
　
・「【実用新案登録請求の範囲】【請求項１】廃棄物焼却炉の燃焼室に向かって開口する投入口の外周面に接合し、上方に開いた円弧断面形状の投入シュートを備えて、その投入シュートの内部の円弧中心位置には回転軸を有し、燃焼室に向かった投入口側に自由に回転する前扉と、同じ回転軸の支持で１８０℃回転する位置に後扉を配し、この前扉と後扉の間に適当な空間を有した二重扉にて、外気を遮断した状態を保ったまま廃棄物を燃焼室に投入できる回転押し込み二重扉の供給装置を備えた廃棄物焼却炉。」
　
・「【０００３】【考案が解決しようとする課題】小型焼却炉で外気と遮断した廃棄物の投入をしつつ、安定した供給装置として実用化しているものはほとんどない。本考案は、かかる課題に鑑みてなされたものであり、外気と燃焼室を遮断した状態で、操作性よく廃棄物を逐次投入できる供給装置を備えた廃棄物焼却炉を提供して、より高温での燃焼を保持しつつダイオキシン類の発生抑制となる廃棄物焼却の適正を図るものである。」
　
・「【０００４】【課題を解決するための手段】本考案は次の構造を有する。廃棄物焼却炉１の燃焼室２に向かって開口した投入口５の外枠に、シュートフランジ１４が焼却炉投入口外枠とのボルトナット接合か、又は焼却炉縁側に回転支持ピンを有して投入口外枠とぴったり接合した円弧形状の投入シュート２１を備えた構造としている。」
　
・「【０００６】投入シュート２１の円弧中心部分に自由に回転する回転支持軸２３を設ける。その回転支持軸２３にヒンジ接合して懸垂した前扉２４（図６参照）を設けて、投入口側の遮熱カーテン１２と並べて垂らす。（中略）これにより燃焼室内部からの熱を遮断しながら、押し込まれた廃棄物にて自ら燃焼室２の方向に回転して、廃棄物のみを燃焼室２に落下させるものである（図２、図３、図４、図５を参照）。」　
　
・「【０００７】回転支持軸２３に前扉２４とは別のヒンジで接合した後扉２５を設ける（図１及び図７を参照）。回転支持軸２３に連結するハンドル３２を回転動作させて後扉２５を回転させつつ、投入シュート２１内の廃棄物を前扉２４と共に燃焼室１へ落とし込む作動をする。前扉２４には適切な位置に接合したフック板Ａ２６を取り付けてシュート前室２０を形成して、このシュート前室２０を押しだすように後扉２５を回転する。このシュート前室２０は廃棄物を圧縮しない程度の６０度から１００度の角度を保った空間で、有姿のままの廃棄物を圧縮せずに供給できる機構を有する（図２〜図６参照）。」
　
・「【０００８】投入シュート２１の上端部にはシュート蓋３０を設けて、投入シュート２１内を後扉２５と合わせて密閉できる。回転支持軸２３に連結するハンドル３２の動作にて、後扉２５の下縁端部の面接触にてシュート蓋３０をリフトして開放する。」
　
・「【０００９】【投入動作の説明】 焼却炉への廃棄物の供給は、先ず後扉２５を投入シュート２１上端枠位置より高くまで回転させてシュート前室２０内を開放する。このとき前扉２４は投入シュート２１の側部に配した前扉ノッチ２８の押さえ位置で一時固定されているので、廃棄物投入後も前進しない。開放したシュート前室２０内に廃棄物を適量で投入装填し、ハンドル３２の回転にて後扉２５を回転して降ろす。この際廃棄物は前扉２４及び後扉２５の中間に挟まれたシュート前室２０にあり外気と遮断され、且つ燃焼室１の投入口５はこの前扉２４にて外気と遮断されている。」
　
・「【００１０】続いてハンドル３２をまわして後扉２５を投入口側に押し込む動作で回転させて、シュート前室２０内の廃棄物と前扉２４を共に押し込んでいく。前扉２４は遮熱カーテン１２を持ち上ながら回転する。シュート前室２０内の廃棄物は投入口５を通過して燃焼室２に供給される。」
　
　また、投入シュートは、外気を遮断した状態で廃棄物を炉体内の燃焼室に投入できるものであるから、外気遮断投入装置といえるものである。
　
　更に、段落【０００７】の「回転支持軸２３に連結するハンドル３２を回転動作させて後扉２５を回転させつつ、」との記載、段落【０００９】の「ハンドル３２の回転にて後扉２５を回転して降ろす。」との記載、及び、段落【００１０】の「続いてハンドル３２をまわして後扉２５を投入口側に押し込む動作で回転させて、」との記載から、後扉は、その上端部が前扉を回動自在に軸支した回転支持軸に固定されているものと認められる。
　
　したがって、引用例１には次の発明が記載されているものと認められる（以下、「引用例１発明」という。」）。
　
　「底部にロストルを備え、前壁に廃棄物投入口を有して燃焼室を形成する炉体を備えてなる小規模焼却炉と、前記廃棄物投入口を閉塞した状態で廃棄物を炉体内の燃焼室に投入することができる外気遮断投入装置とからなる外気遮断投入装置付小規模焼却炉であって、前記外気遮断投入装置は、廃棄物を一時的に収容するシュート前室を有する投入シュートと、前記炉体の燃焼室との間に回転支持軸を介して開閉可能に設けられた前扉と、前記シュート前室に一時的に収容された廃棄物を前記炉体の燃焼室に投入する廃棄物投入機構とからなり、該廃棄物投入機構は、シュート前室に収容された廃棄物を炉体の燃焼室側へ移動させる後扉と、この後扉の前進移動に連動させて前記前扉を開き、前記後扉が廃棄物を炉体の燃焼室内に投入した後の後退移動に連動させて、前記前扉を閉じるハンドルとからなり、該後扉は、その上端部が前記前扉を回動自在に軸支した回転支持軸に固定され、該シュート前室は、上端部を開口してなる廃棄物投入口が設けられ、該廃棄物投入口には内部を密閉可能なシュート蓋がヒンジを介して開閉自在に設けられている、ことを特徴とする外気遮断投入装置付小規模焼却炉。」
　
（２）登録実用新案第３０７０２５６号公報（以下、「引用例２」という。）には、図面とともに次の記載がある。
　
・「【実用新案登録請求の範囲】【請求項１】底部にロストルを備え、一次燃焼室を形成する炉体と、前記炉体の上壁に設けられ一次燃焼室に連通する排気筒と、前記排気筒に連通して二次燃焼室を形成するとともに、上端に排気口を有する燃焼筒とを備えた小型焼却炉において、前記一次燃焼室内に加圧空気を供給する一次空気供給管を前記炉体の側壁内面に沿わせて配置し、その周壁に適宜な孔径を有する多数の空気噴射孔を設け、前記排気筒に一次燃焼室から流れてくる燃焼ガスを高温にさせる昇温用バーナーを設け、前記燃焼筒内に加圧空気を供給する二次空気供給管を該燃焼筒と同心に配置し（中略）たことを特徴とする小型焼却炉。」
　
・「【０００１】【考案が属する技術分野】本考案は、紙屑、段ボール、木屑、ウエス等の雑芥や、これら雑芥にゴム屑や廃プラスチック類、厨芥等が少量混ざった混合雑芥を焼却処理時に排出されるダイオキシン、その他の有害物質、煤煙、臭気等を大幅に抑制することができる小型焼却炉に関する。」
　
・「【００１４】炉体２の前壁上部には、焼却物を投入する焼却物投入口６が設けられ、」　
　
（３）実公昭５７−６１０４１号公報（以下、「引用例３」という。）には、図面とともに次の記載がある。
　
・「本考案はロータリーフィーダーに関する。さらに詳しくは、たとえば厨芥、ゴミ等を回転羽根の回転により一定量づつ焼却炉へ供給するためのロータリーフィーダーに関する。」（第１頁左欄第２７−３０行）
　
・「回動羽根４ｂは固定羽根４ａの先端に隣接して設けた回転可能な軸４ｃに固設し、かつ軸４ｃはスプリング等の弾性手段６により回転羽根４の回転方向（矢印Ａ方向）に付勢してある。」（第１頁右欄第２６−３０行）
　
・「なお、回動羽根４ｂは回転羽根４の回転方向に附勢され、一定の力でケ−シング１内周面に押し付けられているので、常に一定したシール度を確保でき、かつ回動羽根４ｂ先端の摩耗によるシール度不足の恐れもない。」（第２頁右欄第１０−１４行）
　
４．対比
　本願発明と上記引用例１発明とを比較する。
　
　引用例１発明の「シュート前室」は本願発明の「廃棄物収容室」に相当し、以下同様に「投入シュート」は「廃棄物収容箱」に、「回転支持軸」は「支持軸」に、「前扉」は「開口部密閉扉」に、「後扉」は「廃棄物移動板」に、「ハンドル」は「移動操作レバー」に、また、「シュート蓋」は「投入口密閉扉」に相当する。
　
　したがつて、両者は、「底部にロストルを備え、前壁に廃棄物投入口を有して燃焼室を形成する炉体を備えてなる小規模焼却炉と、前記廃棄物投入口を閉塞した状態で廃棄物を炉体内の燃焼室に投入することができる外気遮断投入装置とからなる外気遮断投入装置付小規模焼却炉であって、前記外気遮断投入装置は、廃棄物を一時的に収容する廃棄物収容室を有する廃棄物収容箱と、前記炉体の燃焼室との間に支持軸を介して開閉可能に設けられた開口部密閉扉と、前記廃棄物収容室に一時的に収容された廃棄物を前記炉体の燃焼室に投入する廃棄物投入機構とからなり、該廃棄物投入機構は、廃棄物収容室に収容された廃棄物を炉体の燃焼室側へ移動させる廃棄物移動板と、この廃棄物移動板の前進移動に連動させて前記開口部密閉扉を開き、前記廃棄物移動板が廃棄物を炉体の燃焼室内に投入した後の後退移動に連動させて、前記開口部密閉扉を閉じる移動操作レバーとからなり、該廃棄物移動板は、その上端部が前記開口部密閉扉を回動自在に軸支した支持軸に固定され、該廃棄物収容室は、廃棄物投入口が設けられ、該廃棄物投入口には内部を密閉可能な投入口密閉扉がヒンジを介して開閉自在に設けられている、ことを特徴とする外気遮断投入装置付小規模焼却炉。」の点で一致し、次の点で相違する。
　
　［相違点１］
　本願発明の小規模焼却炉は、「底部にロストルを備え、前壁に廃棄物投入口を有して一次燃焼室を形成する炉体と、この炉体部に連通し前記一次燃焼室から流れてくる燃焼ガスを高温化するバーナーを有する排気筒と、この排気筒に連通して上端に排気口を有するとともに、筒内に加圧空気を供給する二次空気供給管を同心配置して二次燃焼室を形成する燃焼筒とを備えてなる小規模焼却炉」であるのに対して、引用例１発明の小規模焼却炉は、「底部にロストルを備え、前壁に廃棄物投入口を有して燃焼室を形成する炉体を備えてなる小規模焼却炉」である点。
　
　［相違点２］
　本願発明の外気遮断投入装置は、廃棄物を炉体内の「一次燃焼室」に投入するのに対して、引用例１発明の外気遮断投入装置は、廃棄物を炉体内の「燃焼室」に投入する点。
　
　［相違点３］
　本願発明の廃棄物収納箱は、「小規模焼却炉の廃棄物投入口に」「廃棄物投入口を開閉可能にヒンジを介して取付けられている」のに対して、引用例１発明の廃棄物収納箱は、そのような点が明らかでない点。
　
　［相違点４］
　本願発明の廃棄物移動板は、「その上端部が前記開口部密閉扉を回動自在に軸支した支持軸に固定された水平板部と、この水平板部の後端から所定の角度で形成された下向傾斜部とからなり、該下向傾斜部の後端にヒンジを介して回動自在に連結されて下端部が前記廃棄物収容箱の底板兼後板に沿って摺動可能に当接される押出板部とを有」するのに対して、引用例１発明の廃棄物移動板は、「その上端部が前記開口部密閉扉を回動自在に軸支した支持軸に固定された」一枚の板部（後扉）からなる点。
　
　［相違点５］
　本願発明の廃棄物収容室は、「側板を開口してなる廃棄物投入口が設けられ」るのに対して、引用例１発明の廃棄物収容室は、「上端部を開口してなる廃棄物投入口が設けられ」る点。
　
５．判断
　相違点１について
　引用例２には、本願発明の小規模焼却炉と同じ構成である「底部にロストルを備え、前壁に廃棄物投入口を有して一次燃焼室を形成する炉体と、この炉体部に連通し前記一次燃焼室から流れてくる燃焼ガスを高温化するバーナーを有する排気筒と、この排気筒に連通して上端に排気口を有するとともに、筒内に加圧空気を供給する二次空気供給管を同心配置して二次燃焼室を形成する燃焼筒とを備えてなる小規模焼却炉」が記載されている。
　
　そして、引用例２に記載された小規模焼却炉は、「底部にロストルを備え、前壁に廃棄物投入口を有して燃焼室を形成する炉体を備えてなる小規模焼却炉」の点で引用例１発明の小規模焼却炉と一致する。
　
　したがって、引用例１発明において、小規模焼却炉として引用例２に記載された小規模焼却炉を採用し、上記相違点１に係る本願発明の構成を得ることは、当業者が容易に想到し得たことである。
　
　相違点２について
　上記相違点１の判断で述べたように、引用例１発明の小規模焼却炉として引用例２に記載された小規模焼却炉を採用すると、外気遮断投入装置は、当然に、廃棄物を炉体内の「一次燃焼室」に投入することになる。
　
　相違点３について
　引用例１の段落【０００４】には、上記したように「焼却炉縁側に回転支持ピンを有して投入口外枠とぴったり接合した円弧形状の投入シュート２１を備えた」と記載されている。
　
　したがって、引用例１発明において、投入シュート、すなわち廃棄物収容箱を、小型焼却炉の廃棄物投入口に該廃棄物投入口を開閉可能にヒンジを介して取付けることは、当業者が容易に想到し得たことである。
　
　相違点４について
　引用例３には、固定羽根の後端にヒンジを介して回動自在に連結されて下端部がケ−シングの内面に沿って摺動可能に当接される回動羽根を有する厨芥、ゴミ等を焼却炉に供給するロータリーフィーダが記載されている。
　
　そして、引用例３に記載された固定羽根及び回動羽根と、引用例１発明の廃棄物移動板とは、焼却炉に廃棄物を供給する点で一致する。
　
　したがって、引用例１発明において、廃棄物移動板に、該廃棄物移動板の後端にヒンジを介して回動自在に連結されて下端部が前記廃棄物収容箱の底板兼後板に沿って摺動可能に当接される押出板部を設けることは、当業者が容易に想到し得たことである。
　
　また、廃棄物移動板を、その上端部が支持軸に固定された水平板部と、この水平板部の後端から所定の角度で形成された下向傾斜部とから形成することは、廃棄物収容室の容量や形状を調整するために当業者が適宜なし得る設計事項である。
　
　相違点５について
　廃棄物収容室の側面に廃棄物投入口を設けることは、従来周知である（例えば、特開平７−３０５８１８号公報の側面断面図を参照のこと。）。
　
　したがって、引用例１発明において、廃棄物収容室に、側板を開口してなる廃棄物投入口を設けることは、当業者が容易に想到し得たことである。
　
　そして、本願発明の作用効果も、引用例１ないし３に記載された事項、及び周知技術から当業者が予測できる範囲のものである。
　
６．むすび
　本願発明は、引用例１ないし３に記載された発明、及び、周知技術に基づいて、当業者が容易に発明をすることができたものであるから、特許法第２９条第２項の規定により特許を受けることができない。
　
　よって、結論のとおり審決する。